(57)【要約】【課題】  利用者が所望する量の内容物を簡単且つ短時間で取出すことができ、利用者が目盛りを目視して計量する必要が無い計量容器を提供する。【解決手段】  計量容器１００の収容部１２０に、配置した軸を中心に計量部１３０を回転させる、計量用凹部１３１を形成する。利用者が所望する量の内容物を取出すには容器を傾けて計量用凹部に内容物を貯留し計量部を回転して収容部上側面取出口に移動させる。これにより、当該計量用凹部に貯留された内容物のみを、外部に取出すことができる。【選択図】図２
2015068825.tif 000002
【特許請求の範囲】
【請求項１】
内容物を収容する容器本体を傾けて、計量部が計量ベース部に設置された軸を中心に計量部を押すことにより回転して計量用凹部が計量ベース部底面開口端から上側面開口端に移動して、上側面開口端が前記計量凹部を貫通して外部に露出するよう構成された、前記計量用凹部に貯留された前記内容物のみを選択的に外部に取出す。取出し後、スプリング力で元の位置に戻ることを特徴とする計量容器。
【請求項２】
内容物を収容する容器本体に、収容部の下開口部から計量部に貯留され、前記容器本体上面が開口した円筒状の収容部と、前記底面に該計量部と貫通する開口部が設けられ、計量用凹部を設けられた該計量部を保持する回転用軸を備え、前記計量部を回転させることにより、前記収容部下面開口部端から計量用凹部が前記ベース部底面開口端に回転し、貫通するように配置されている。取出し後、スプリング力で元の位置に戻ることを特徴とする請求項１に記載の計量容器。
【発明の詳細な説明】
【技術分野】
【０００１】  本発明は、粉体、液体等の内容物を収容し、利用者が所定分量の内容物を取出すことが出来る計量容器に関する。
【発明の概要】
【発明が解決しようとする課題】
【０００２】  既存の計量器は内容物を容器本体から外部に一旦移動させ計量する必要があるため、内容物の取出しに手間や時間がかかるという欠点がある。【０００３】  また、利用者が目盛り等を目視して取出し量を決定する必要があるため、老眼の高齢者等にとって扱い難いという欠点もある。
【課題を解決するための手段】
【０００４】  第１の発明に係わる計量容器は、内容物を収容する容器本体と、計量ベース部と、計量部の３部構成とし、容器を傾けることにより計量ベース部下側開口端から計量用凹部に内容物が移動し、計量部あるいは作動部を押すことによるテコあるいはギアーの作動を利用して計量ベース部に設置した軸を中心に回転し、前記計量用凹部に貯留された前記内容物のみを上側開口端から外部に取出すための開口部を備え、作動部を放すとスプリング力で元の位置に戻る特徴とする。【０００５】  上記第１の発明においては、前記容器本体が、円筒状収容部と、該ベース部に前記内容物のみを前記計量用凹部に充填させる下部開口部と、上側面開口端から外部に取出すための開口部が計量ベース部に設置された軸を中心に回転する前記計量凹部が移動する構成が好ましい。【０００６】  第２の発明に係わる計量容器は、内容物を収容する容器本体と、上蓋部と、計量部の３部構成とし、容器本体の下部開口端から計量用凹部に内容物が移動し、容器本体に設置した軸を中心に計量部の回転により、前記計量凹部に貯留された前記内容物のみを底面開口端から外部に排出すための開口部を備え、作動部を放すとスプリング力で元の位置に戻る特徴とする。【０００７】  上記第２の発明においては、前記容器本体が、円筒状収容部と、前記内容物のみを計量用凹部に充填させる下側開口部と、底面開口から外部に取出すための開口部が容器本体に設置された軸を中心に回転する前記計量凹部が移動する構成が好ましい。
【発明の効果】
【０００８】  第１の発明によれば容器本体を傾けることによって、選択された内容物のみを計量用凹部に入り、作動部を押すことで回転して外部に取出すことができる。このため、第１の発明に係わる計量器によれば、短時間で簡単に、所望量の内容物を取出すことができる。また、利用者が目盛りを目視して計量する必要が無いので、老眼の高齢者等にとっても扱いやすい。【０００９】  第２の発明によれば容器本体を、選択された内容物のみを計量用凹部に入り、作動部を押すことで回転して外部に取出すことができる。このため、第２の発明に係わる計量器によれば、短時間で簡単に、所望量の内容物を取出すことができる。また、利用者が目盛りを目視して計量する必要が無いので、老眼の高齢者等にとっても扱いやすい。
【図面の簡単な説明】
【００１０】
【図１】実施の形態１に係わる計量容器の構造を示す概念図を示す斜視図である
【図２】実施の形態１に係わる計量容器の構造を示す概念図であり、図１（ａ）のＡ−Ａ断面図である。
【図３】実施の形態１に係わる計量容器の使用方法を説明するための概念図である。
【図４】実施の形態２に係わる計量容器の構造を示す概念図であり、断面図である。
【図５】実施の形態２に係わる計量容器の使用方法を説明するための概念図である。
【発明を実施するための形態】
【００１１】  以下、本発明の実施形態に係わる計量容器について、図１〜５図に基づいて説明する。
［発明の実施の形態１］
【００１２】  図１は、本発明の実施の形態１に係わる計量容器の概念的を示す図であり、図１は斜視図（（ａ）はテコ式、（ｂ）はギアー式）、図２は図１（ａ）のＡ−Ａ断面図である。
【００１３】  図２に示したように、実施の形態１に係わる計量容器１００は、収容部１１０と、計量ベース部１２０と、計量部１３０と計量部を戻すスプリング１２５とを備えている。
【００１４】  収容部１１０は、例えば円筒状に形成され、計量ベース部１２０と結合するためのネジ１１１が設けられ、ねじ込み固定できるよう構成されている。収容部は、例えば透明樹脂によって形成することができる。
【００１５】  計量ベース部１２０は、内容物を、計量用凹部に移動するための開口部１２１が設けられ、上部側面には、下部開口部が回転用軸１２４を中心とした軸を回転して下部開放口と同じ容量の開口部があり、内容物を外部に取り出す開口部１２２が設けられている。計量部１３０を回転させる際の回転軸１２４も設けられ回転を戻すスプリングを備えている。ベース部は、例えば樹脂によって形成される。
【００１６】  計量部１３０に計量用凹部１３１が設けられている。計量用凹部の個数は複数でも良いが、本実施の形態では１個とした。本実施の形態では、計量用凹部１３１は所望容量に設定できる、例えば小さじ一杯分に相当する容積（約５ｃｃ）、さじ一杯分に相当する容積（約１０ｃｃ）等に設定できる。本実施の形態では計量部１３０を計量ベース部の回転軸１２４に配置する。計量部は、例えば樹脂によって形成される。内容物が液体の場合には、計量ベース部あるいは計量部とがシーリングされることが望ましい。
【００１７】  次に、本実施の形態に係わる計量容器１００の使用方法について、図３を用いて説明する。図２において、図３と同じ符号を付した構成要素は、それぞれ図２と同じものを示す。
【００１８】  計量容器１００に内容物を収容、補充する際には、計量ベース部１２０を収容部１１０から回して取外した状態で内容物を収容する。そして計量ベース部１２０を収容部１１０にネジ込む。（図３（ａ）を参照）。
【００１９】  一方、計量容器１００から所望量の内容物を取出す場合には、計量容器１００を傾けることにより、内容物を計量用凹部１３１に移動させる（図３（ｂ）を参照）。
【００２０】  そして、計量部１３３を押すことにより計量ベース部１２４を中心軸として回転して、当該計量用凹部に貯留された内容物のみを外部に取出すことができる（図３（ｃ）を参照）。
【００２１】  その後、計量部１３０は計量ベース部１２４に設置されたスプリング１２５により所定の位置（図３（ａ）を参照）に戻り当該計量用凹部に新たに貯留される。
【００２２】  以上説明したように、本実施の形態によれば、利用者は、内容物を取出す際に、容器本体を傾けるだけで、短時間で簡単に、所望量の内容物を取出すことができる。
【００２３】  すなわち、計量部１３０を回転移動させることができる構造であれば、どのような構造であっても本発明に適用できる。
［発明の実施の形態２］
【００２４】  図４及び図５は、本発明の実施の形態２に係わる計量容器の概念的に示す図であり、図４は全体の断面図、図５は作動図である。
【００２５】  図４及び図５に示したように、実施の形態２に係わる計量容器５００は、収容部５１０と、上部蓋５２０と、計量部５３０を計量部上側開口部に戻すスプリング５２５と、作動部５２６を備えている。
【００２６】  収容部５１０は、例えば円筒状の上蓋５２０と結合するためのネジ１１１が設けられ、ねじ込み固定できるよう構成されている。収容部５１０は例えば透明樹脂によって形成することができる。
【００２７】  収容部５１０は、下部に内容物を計量用凹部に移動するための開口部５２１が設けられ、下部開口部が回転軸５２４を中心とした回転によって内容物を外部に取出す開口部５２２が設けられている。計量部５３０を回転させる際の回転軸５２４も設けられ回転させる作動部５２６を備えている。
【００２８】  計量部５３０に計量用凹部５３１が設けられている。計量用凹部の個数は複数でも良いが、本実施の形態では１個とした。本実施の形態では、計量用凹部５３１は所望容量に設定できる、例えば小さじ一杯分に相当する容積（約５ｃｃ）、さじ一杯分に相当する容積（約１０ｃｃ）等に設定できる。本実施の形態では計量部５３０を収容部の回転軸５２４の軸に配置する。計量部は、例えば樹脂によって形成される。内容物が液体の場合には、収容部あるいは計量部とがシーリングされることが望ましい。
【００２９】  次に、本実施の形態に係わる計量容器５００の使用方法について、図５を用いて説明する。図５において、図４と同じ符号を付した構成要素は、図５と同じものを示す。
【００３０】  計量容器５００に内容物を収容、補充する際には、収容部５１０を上蓋部５２０から回して取外した状態で内容物を収容する。そして収容部５１０を上蓋部５２０にネジ込む。（図５（ａ）を参照）。
【００３１】  一方、計量容器５００から所望量の内容物を取出す場合には、作動部５２６を押すことにより収容部５２４を中心軸として計量部が回転して（図５（ｂ）を参照）、当該計量用凹部に貯留された内容物のみを外部に取出すことができる（図５（ｂ）を参照）。
【００３２】  その後、計量部５３０は収容部に設置されたスプリング５２５により所定の位置（図５（ａ）を参照）に戻り当該計量用凹部に新たに貯留される。
【００３３】  以上説明したように、本実施の形態によれば、利用者は、内容物を取出す際に、計量容器内に設けた計量室に一旦移動させる必要が無い。このため、本実施の形態によれば、短時間で簡単に、所望量の内容物を取出すことができる。
【００３４】  すなわち、計量部５３０を回転移動させることができる構造であれば、どのような構造であっても本発明に適用できる。
【産業上の利用可能性】
【００３５】  本発明に係わる計量容器は、例えば塩、砂糖、コショウ等調味料容器、インスタントコーヒー、ココア等粉末容器に使用できるだけでなく、洗剤、化学薬品、医療品等あらゆる分野の粉体等を収容する容器に適用することができる。
【符号の説明】
【００３６】    １００，５００    計量容器
１１０、５１０    収容部
１１１、１２３、５１１、５２３    ネジ部
１２０    計量ベース部
５２０    上蓋部
１２１、５２１    取出口
１２２，５２２    取出口
１２４、５２４    計量用凹部軸
１２５、５２５    スプリング
１３３、５２６    作動部
１３０、５３０    計量用凹
１３１、５３１    計量用凹部
１３２，５３２    計量用凹部軸受け
【図１】
2015068825.tif 000003
【図２】
2015068825.tif 000004
【図３】
2015068825.tif 000005
【図４】
2015068825.tif 000006
【図５】
2015068825.tif 000007